(57)【要約】【課題】本発明は、従来にない作用効果を発揮する画期的な開閉作業工具を提供することを目的とする。【解決手段】一対の半体１，２同士を交叉重合枢着し、この半体１，２同士の枢着部３の基端側に設けられる開閉操作部４の操作により先端側に設けられる開閉作業部５を開閉動させる開閉作業工具であって、前記枢着部３は、一の半体１に回動不能状態となる軸６を他の半体２に設けられる孔７に挿入した構成であり、前記一の半体１上に重合部材８を重合し、この重合部材８を前記他の半体２に止着したものである。【選択図】図１
2016068225.tif 000002
【特許請求の範囲】
【請求項１】
一対の半体同士を交叉重合枢着し、この半体同士の枢着部の基端側に設けられる開閉操作部の操作により先端側に設けられる開閉作業部を開閉動させる開閉作業工具であって、前記枢着部は、一の半体に回動不能状態となる軸を他の半体に設けられる孔に挿入した構成であり、前記一の半体上に重合部材を重合し、この重合部材を前記他の半体に止着したことを特徴とする開閉作業工具。
【請求項２】
請求項１記載の開閉作業工具において、前記重合部材は、前記一の半体の外面を押圧重合するように構成されていることを特徴とする開閉作業工具。
【請求項３】
請求項１，２いずれか１項に記載の開閉作業工具において、前記重合部材は板状体であることを特徴とする開閉作業工具。
【請求項４】
請求項１〜３いずれか１項に記載の開閉作業工具において、前記重合部材は、前記他の半体に着脱自在に止着されていることを特徴とする開閉作業工具。
【請求項５】
請求項１〜４いずれか１項に記載の開閉作業工具において、前記他の半体に設けた凹部に前記一の半体を嵌合させて前記半体同士を交叉重合枢着する構成であり、前記重合部材は前記凹部の開口部に架設状態に設けられることを特徴とする開閉作業工具。
【発明の詳細な説明】
【技術分野】
【０００１】
本発明は、例えばペンチやニッパーなどの開閉作業工具に関するものである。
【背景技術】
【０００２】
従来から、図７に図示したように一対の半体51，52同士を交叉重合枢着し、この半体51，52同士の枢着部53の基端側に設けられる開閉操作部の操作により先端側に設けられる開閉作業部を開閉動させるペンチやニッパーなどの開閉作業工具が提案されている。
【０００３】
この従来例の枢着部53は、一の半体51に回動不能状態となる軸56を他の半体52に設けられる孔57に挿入した構成であり、具体的には、一の半体51と他の半体52とを交叉重合状態とし、この状態で他の半体52の外側から棒材を孔57に挿入係止し、この棒材の先端部をカシメて一の半体51に抜け止め状態となる軸56を形成したものである。
【発明の概要】
【発明が解決しようとする課題】
【０００４】
しかしながら、従来例は、図７に図示したように使用を重ねる（開閉作業を繰り返し行う）うちに、軸56と擦れる他の半体52における孔57（特に開閉作業時に力のかかる抜け止め係止する部位）が摩耗により減り隙間Ｓが生じ、この隙間Ｓが開閉操作時におけるガタツキの原因となっている。
【０００５】
本発明は、前述した問題点を解消するもので、従来にない作用効果を発揮する画期的な開閉作業工具を提供する。
【課題を解決するための手段】
【０００６】
添付図面を参照して本発明の要旨を説明する。
【０００７】
一対の半体１，２同士を交叉重合枢着し、この半体１，２同士の枢着部３の基端側に設けられる開閉操作部４の操作により先端側に設けられる開閉作業部５を開閉動させる開閉作業工具であって、前記枢着部３は、一の半体１に回動不能状態となる軸６を他の半体２に設けられる孔７に挿入した構成であり、前記一の半体１上に重合部材８を重合し、この重合部材８を前記他の半体２に止着したことを特徴とする開閉作業工具に係るものである。
【０００８】
また、請求項１記載の開閉作業工具において、前記重合部材８は、前記一の半体１の外面を押圧重合するように構成されていることを特徴とする開閉作業工具に係るものである。
【０００９】
また、請求項１，２いずれか１項に記載の開閉作業工具において、前記重合部材８は板状体であることを特徴とする開閉作業工具に係るものである。
【００１０】
また、請求項１〜３いずれか１項に記載の開閉作業工具において、前記重合部材８は、前記他の半体２に着脱自在に止着されていることを特徴とする開閉作業工具に係るものである。
【００１１】
また、請求項１〜４いずれか１項に記載の開閉作業工具において、前記他の半体２に設けた凹部９に前記一の半体１を嵌合させて前記半体１，２同士を交叉重合枢着する構成であり、前記重合部材８は前記凹部９の開口部９ａに架設状態に設けられることを特徴とする開閉作業工具に係るものである。
【発明の効果】
【００１２】
本発明は上述のように構成したから、使用を重ねることで生じる開閉操作時におけるガタツキを可及的に防止することができるなど、従来にない作用効果を発揮する画期的な開閉作業工具となる。
【図面の簡単な説明】
【００１３】
【図１】本実施例を示す斜視図である。
【図２】本実施例の要部を示す断面図である。
【図３】本実施例の要部の説明断面図である。
【図４】本実施例の製造工程説明図である。
【図５】本実施例の製造工程説明図である。
【図６】本実施例の製造工程説明図である。
【図７】従来例の要部の説明断面図である。
【発明を実施するための形態】
【００１４】
好適と考える本発明の実施形態を、図面に基づいて本発明の作用を示して簡単に説明する。
【００１５】
本発明は、開閉操作部４を操作すると、他の半体２に設けられる孔７に対して一の半体１に設けられる軸６が回動して開閉作業部５は開閉動する。
【００１６】
ところで、本発明は、従来のように使用を重ねることで生じる開閉操作時におけるガタツキを可及的に防止する。
【００１７】
即ち、前述したように使用を重ねる（開閉作業を繰り返し行う）うちに、一の半体１における軸６と擦れる他の半体２における孔７（特に開閉作業時に力のかかる抜け止め係止する部位）が摩耗により減り隙間が生じてしまい、この隙間が開閉操作時におけるガタツキの原因となるが、本発明は、隙間が生じても重合部材８が一の半体１に重合しているから、一の半体１が他の半体２に対し離反せず、よって、使用を重ねても開閉操作時におけるガタツキが可及的に防止される。
【実施例】
【００１８】
本発明の具体的な実施例について図面に基づいて説明する。
【００１９】
本実施例は、一対の半体１，２同士を交叉重合枢着し、この半体１，２同士の枢着部３の基端側に設けられる開閉操作部４の操作により先端側に設けられる開閉作業部５を開閉動させる開閉作業工具である。
【００２０】
具体的には、図１に図示したように適宜な金属製の一対の半体１，２（一の半体１，他の半体２）を設け、この他の半体２の先端寄りの部位に設けた凹部９に一の半体１の先端寄りの部位に設けた凹部13を嵌合させて半体１，２同士を交叉重合枢着し、この枢着部３よりも基端側の部位にグリップを被覆して成る握持操作部４を設け、一方、枢着部３よりも先端側の部位に切断刃を形成して成る開閉作業部５を設けている。尚、本実施例では、開閉作業部５として半体１，２夫々の先端部に被挟持物を切断する切断刃を設けた切断作業部を採用したが、平坦状の挟持面を設けた挟持作業部を採用しても良いなど、本実施例の特性を発揮する構成であれば適宜採用するものである（本明細書で言う開閉作業とは、切断作業や挟持作業など種々の開閉して行なう作業の意である。）。
【００２１】
枢着部３は、図２に図示したように一の半体１に回動不能状態となる軸６を他の半体２に設けられる孔７に挿入した構成である。
【００２２】
具体的には、一の半体１における枢着部３を形成する部位（凹部13）には軸６を挿入する孔10が貫通状態に設けられ、この孔10の外側開口部にはテーパー部10ａが設けられている。
【００２３】
このテーパー部10ａの内面所定位置には凹部10ａ'が設けられ、軸６の挿入先端部６ａをカシメた際、この挿入先端部６ａは、テーパー部10ａに嵌合するとともに凹部10ａ'内に嵌合して回動不能状態に抜け止め係止する。
【００２４】
一方、他の半体２における枢着部３を形成する部位（凹部９）には軸６を挿入する孔７が貫通状態に設けられ、この孔７の外側開口部にはテーパー部７ａが設けられている。
【００２５】
このテーパー部７ａには、孔７に挿入される軸６の基端部に設けられテーパー部７ａと合致する形状の径大部６ｂが嵌合するように構成されている。
【００２６】
従って、一の半体１と他の半体２とを交叉重合状態とし、この状態で他の半体２の外側から軸６を孔７へ挿入して径大部６ｂをテーパー部７ａに係止し、この軸６の挿入先端部６ａをカシメることで一の半体１のテーパー部10ａに回り止め状態に抜け止め係止して枢着する。
【００２７】
また、本実施例は、一の半体１上に重合部材８を重合し、この重合部材８を他の半体２に止着している。
【００２８】
具体的には、重合部材８は、図１，２に図示したように適宜な金属製の部材で形成した平面視方形状の板状体であり、一の半体１の外面を押圧重合するように構成されている。
【００２９】
また、重合部材８は、螺子部材11を介して他の半体１に着脱自在に設けられており、他の半体２に設けた凹部９に開口部９ａに架設状態に設けられ、他の半体２とともに一の半体１を挟持した状態となる。
【００３０】
従って、重合部材８は、一の半体１を押圧重合して該一の半体１における他の半体２に対する離反方向への移動を阻止することになる。
【００３１】
この重合部材８における他の半体２への付設方法について具体的に説明する。
【００３２】
先ず、図４に図示したように他の半体２の先端寄りの部位にして凹部９を間に配した対向位置に螺子孔形成装置21で螺子孔12を穿孔する。
【００３３】
続いて、図５に図示したように一の半体１におけるテーパー部10ａが設けられる面及び他の半体２における螺子孔12が設けられる面を研磨装置20で研磨して平坦処理を行う。
【００３４】
続いて、図６に図示したように螺子部材11を介して重合部材８を他の半体２に止着する。
【００３５】
本実施例は上述のように構成したから、開閉操作部４を操作すると、他の半体２に設けられる孔７に対して一の半体１に設けられる軸６が回動して開閉作業部５は開閉動する。
【００３６】
本実施例は、使用を重ねることで生じる開閉操作時におけるガタツキを可及的に防止する。
【００３７】
即ち、前述したように使用を重ねる（開閉作業を繰り返し行う）うちに、一の半体１における軸６と擦れる他の半体２における孔７（特に開閉作業時に力のかかる抜け止め係止する部位）が摩耗により減り隙間が生じてしまい、この隙間が開閉操作時におけるガタツキの原因となるが、本実施例は、図３に図示したように隙間Ｓが生じても重合部材８が一の半体１に重合しているから、一の半体１が他の半体２に対し離反せず、よって、使用を重ねても開閉操作時におけるガタツキが可及的に防止される。
【００３８】
よって、本実施例によれば、使用を重ねることで生じる開閉操作時におけるガタツキが可及的に防止される。
【００３９】
また、本実施例は、重合部材８は、一の半体１の外面を押圧重合するように構成されているから、確実に他の半体２とともに一の半体１を挟持して該一の半体１における他の半体２に対する離反方向への移動を阻止することができる。
【００４０】
また、本実施例は、重合部材８は、他の半体１に着脱自在に設けられているから、仮に重合部材８が摩耗したり破損したりした場合など取り換えることができ、しかも、重合部材８を取り外して工具自体をメンテナンスすることができる。
【００４１】
また、本実施例は、他の半体２に設けた凹部９に一の半体１を嵌合させて半体１，２同士を交叉重合枢着する構成であり、重合部材８は凹部９の開口部９ａに架設状態に設けられるから、簡易構造にて所期の作用効果を発揮することができる。
【００４２】
尚、本発明は、本実施例に限られるものではなく、各構成要件の具体的構成は適宜設計し得るものである。
【符号の説明】
【００４３】
１  一の半体
２  他の半体
３  枢着部
４  開閉操作部
５  開閉作業部
６  軸
７  孔
８  重合部材
９  凹部
９ａ  開口部
【図１】
2016068225.tif 000003
【図２】
2016068225.tif 000004
【図３】
2016068225.tif 000005
【図４】
2016068225.tif 000006
【図５】
2016068225.tif 000007
【図６】
2016068225.tif 000008
【図７】
2016068225.tif 000009